(57)【要約】【課題】利用者への各種情報の提供を効果的に行うことができるノズルを提供する。【解決手段】把持部１６と、当該把持部１６に連設された吐出部１２と、を備えたノズル１０であって、前記把持部１６と前記吐出部１２との接続部位１３において当該把持部１６が把持された際に上を向く位置に情報提示手段を有していることを特徴とするノズル。【選択図】図２
2008137672.tif 000002
【特許請求の範囲】
【請求項１】
把持部と、当該把持部に連設された吐出部と、を備えたノズルであって、
前記把持部と前記吐出部との接続部位において当該把持部が把持された際に上を向く位置に情報提示手段を有していることを特徴とするノズル。
【請求項２】
前記情報提示手段が、情報が記載されているカード、及び前記把持部と前記吐出部との接続部位に設けられて前記カードが装着されるカードケースであることを特徴とする請求項１に記載のノズル。
【請求項３】
前記情報提示手段が、情報が記載され、前記把持部と前記吐出部との接続部位に貼付けられるステッカーであることを特徴とする請求項１に記載のノズル。
【請求項４】
前記情報提示手段が、電磁的方法により行う画像表示装置であることを特徴とする請求項１に記載のノズル。
【発明の詳細な説明】
【技術分野】
【０００１】
本発明はノズルに関し、例えばセルフ給油所において利用者に給油の際の注意事項や販促のためのサービス情報などの各種情報を提供するのに好適に用いることができるノズルに関する。
【背景技術】
【０００２】
近年、セルフ給油所が増加傾向にある。セルフ給油所において、利用者は、自らノズルを操作し、自動車等に給油する。
【０００３】
セルフ給油所の利用者は、給油の間、安全のため自動車等の側で待機している必要がある。そこで従来、利用者を飽きさせないため、給油装置に設けたスピーカから音楽や広告などを流すといった手段が採られている（例えば、特許文献１参照）。
【０００４】
また、セルフ給油所では、通常、自動車等の燃料タンクが満タンになった時点で自動的に弁を閉じて給油を停止するよう構成されたノズルが使用されている。この自動閉弁機構を作動させるには、所定の吐出量を確保して負圧を発生させる必要がある。
【０００５】
しかし、給油に不慣れな利用者が恐怖感により吐出量を絞る可能性もあり、上記自動閉弁機構が作動しないという不都合が生じる虞もある。そこで従来、吐出量を表示する表示手段をノズルに設けたものが知られている（例えば、特許文献２参照）。
【０００６】
【特許文献１】特開２００４−１５５４２７号公報
【特許文献２】特開２００５−０５３５６５号公報
【発明の開示】
【発明が解決しようとする課題】
【０００７】
しかし、上記特許文献１では、音声を介した情報の提供であって、且つ利用者は給油作業中であることから、聞き流されてしまう可能性があり、所望の宣伝効果をあげることが難しい。
【０００８】
また、上記特許文献２では、単に吐出量という物理量を表示するにすぎず、利用者に給油の際の注意事項や販促のためのサービス情報などの各種情報を提供することはできない。
【０００９】
本発明は、上述した事情に鑑みてなされたものであり、その目的は、利用者への各種情報の提供を効果的に行うことができるノズルを提供することにある。
【課題を解決するための手段】
【００１０】
上記目的は、本発明に係る下記（１）〜（４）のノズルにより達成される。
【００１１】
（１）把持部と、当該把持部に連設された吐出部と、を備えたノズルであって、
前記把持部と前記吐出部との接続部位において当該把持部が把持された際に上を向く位置に情報提示手段を有していることを特徴とするノズル。
（２）前記情報提示手段が、情報が記載されているカード、及び前記把持部と前記吐出部との接続部位に設けられて前記カードが装着されるカードケースであることを特徴とする上記（１）に記載のノズル。
（３）前記情報提示手段が、情報が記載され、前記把持部と前記吐出部との接続部位に貼付けられるステッカーであることを特徴とする上記（１）に記載のノズル。
（４）前記情報提示手段が、電磁的方法により行う画像表示装置であることを特徴とする上記（１）に記載のノズル。
【発明の効果】
【００１２】
本発明によれば、情報提示手段は把持部と吐出部との接続部位において当該把持部が把持された際に上を向く位置に設けられており、かかる位置は、利用者がノズルを把持・操作する際に必然的に注視する位置である。よって、利用者への各種情報の提供を効果的に行うことができる。
【００１３】
情報提示手段としては、情報が記載されたカード及び当該カードが装着されるカードケースや、ステッカーや、液晶表示装置等の電磁的方法により行う画像表示装置などを好適に用いることができる。
【発明を実施するための最良の形態】
【００１４】
以下、図を参照して本発明の好適な実施形態を説明する。
【００１５】
図１は本発明のノズルの一実施形態に係る給油ノズルを備えた給油装置の正面図、図２は図１の給油ノズルを斜め上方から見たカードケースを装備した場合の外観斜視図、図３は図１の給油ノズルを斜め上方から見たステッカーを装備した場合の外観斜視図である。
【００１６】
図１に示す給油装置５０はセルフ給油所の給油装置である。ここでは、ガソリンを給油する装置で説明するが、灯油を給油する装置であっても構わない。給油ノズル１０は、例えば給油装置５０に３個設けられており、図１中左側から軽油用、ハイオクタンガソリン用、レギュラーガソリン用の順に配置される。給油ノズル１０には対応する油を移送するホース５２が接続しており、そして、各給油ノズル１０は給油装置５０の本体に設けられたノズルホルダ５１に保持されている。
【００１７】
給油装置５０の利用者は、給油装置５０の本体に設けられた油種選択スイッチ５３、給油量選択スイッチ５４、及び支払い選択スイッチ５５を操作し、選択した油種の給油ノズル１０をノズルホルダ５１から取り外し、そして、当該給油ノズル１０を操作して自動車等に給油する。
【００１８】
図２に示すように、給油ノズル１０は、ホース５２が接続している把持部１６と、把持部１６に連設された筒状の吐出部１２とを備えている。ホース５２と吐出部１２とは、把持部１６の内部に設けられた流路を介して連通している。把持部１６内部には前記流路を開閉する弁が内蔵されており、当該弁の開閉を操作する操作レバー１５が把持部１６の下側に設けられている。
【００１９】
そして、給油ノズル１０は、把持部１６と吐出部１２との接続部位１３において把持部１６が把持された際に上を向く位置に、情報提示手段を構成するカードケース１４を有し、このカードケース１４には情報が記載されているカード１１が装着される。
【００２０】
カードケース１４は、例えば接続部位１３の所定位置に名刺大の凹部を設け、当該凹部の底面との間に隙間をおいてアクリル板等の透明な部材で蓋をして構成され、カード１１は前記隙間に挿入されてカードケース１４に装着される。
【００２１】
カードケース１４に装着されたカード１１は、利用者が給油ノズル１０の把持部１６を把持した際に利用者の手元であって給油装置５０の見やすい位置にあり、例えば給油ノズル１０をノズルホルダ５１から取り外す際や、自動車等の給油口に吐出部１２を挿入する際などに、利用者に必然的に注視される。
【００２２】
本実施形態において、情報はカード１１に記載され、例えば名刺大の台紙の表面に、燃料油の種類を記載したり、車検や修理などのサービス情報を記載したりすることができる。そして、カード１１を挿しかえることによって様々な情報を利用者に提供することが可能となる。
【００２３】
カード１１に油種を記載すれば、選択した油種の給油ノズル１０であるか否かが容易に判別でき、給油中の注意事項を記載すれば、利用者の注意を喚起することができ、また、車検や修理等のサービス情報を記載すれば、販売促進の効果が図れる。
【００２４】
次に、図３を参照して、図１に示す給油ノズルの変形例を説明する。
【００２５】
図３に示すように、本変形例の給油ノズル１０´は、把持部１６と吐出部１２との接続部位１３において把持部１６が把持された際に上を向く位置に、情報提示手段であるステッカー２１が貼り付けられている。
【００２６】
ステッカー２１は、利用者が給油ノズル１０´の把持部１６を把持した際に利用者の手元であって給油装置５０の見やすい位置に貼り付けられており、例えば給油ノズル１０´をノズルホルダ５１から取り外す際や、自動車等の給油口に吐出部１２を挿入する際などに、利用者に必然的に注視される。
【００２７】
本変形例において、情報はステッカー２１に記載され、その表面に、燃料油の種類を記載したり、車検や修理などのサービス情報を記載したりすることができる。そして、ステッカー２１を貼りかえることによって様々な情報を利用者に提供することが可能となる。
【００２８】
ステッカー２１に油種を記載すれば、選択した油種の給油ノズル１０´であるか否かが容易に判別でき、給油中の注意事項を記載すれば、利用者の注意を喚起することができ、また、車検や修理等のサービス情報を記載すれば、販売促進の効果が図れる。
【００２９】
以上説明したように、カード１１及びステッカー２１は把持部１６と吐出部１２との接続部位１３において当該把持部１６が把持された際に上を向く位置に配置されており、かかる位置は、利用者がノズル１０，１０´を把持・操作する際に必然的に注視する位置である。よって、利用者への各種情報の提供を効果的に行うことができる。
【００３０】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００３１】
例えば、上述した実施形態は、セルフ給油所の給油装置に使用される給油ノズルを例に説明したが、製油所でのタンクローリー車への積載用ノズル、或いは空港での航空機への給油用ノズルなどにも適用することができる。その場合、情報提示手段には、従業員への注意事項等が提示される。
【００３２】
また、上述した実施形態は、情報提示手段としてカード及び当該カードが装着されるカードケースやステッカーを例に説明したが、液晶表示装置等の電磁的方法により行う画像表示装置を用いてもよい。
【図面の簡単な説明】
【００３３】
【図１】本発明のノズルの一実施形態に係る給油ノズルを備えた給油装置の正面図である。
【図２】図１の給油ノズルを斜め上方から見たカードケースを装備した場合の外観斜視図である。
【図３】図１の給油ノズルを斜め上方から見たステッカーを装備した場合の外観斜視図である。
【符号の説明】
【００３４】
１０  ノズル
１１  カード（情報提示手段）
１２  吐出部
１３  接続部位
１４  カードケース（情報提示手段）
１６  把持部
２１  ステッカー（情報提示手段）
【図１】
2008137672.tif 000003
【図２】
2008137672.tif 000004
【図３】
2008137672.tif 000005